(57)【特許請求の範囲】
【請求項１】
複数の建物ユニットが隣接して据付けられる基礎を構築するために並置された一対の型枠の上に載置固定され、
アンカーボルトの挿着孔を備えたボルト挿着部と、コンクリート投入用窓状部と、型枠への固定具が取着される型枠取着部とを備えてなるアンカーボルトにおいて、
建物ユニットのモジュールの整数倍で長手寸法を定めてなることを特徴とするアンカーボルト設置治具。
【請求項２】
前記治具が、建物ユニットの梁端に対応する端治具と、建物ユニットの梁中間部に対応する中間治具と、建物ユニットと建物ユニットの接続部に対応するジョイント治具の３類からなる請求項１記載のアンカーボルト設置治具。
【請求項３】
前記治具が、長手方向で前記モジュールに相当する位置に目印を備えてなる請求項１又は２記載のアンダーボルト設置治具。
【請求項４】
請求項１〜３のいずれかのアンカーボルト設置治具を基礎型枠の上に載置し、アンカーボルトをアンカーボルト設置治具に吊設した状態でコンクリート打設することを特徴とする基礎の構築方法。
【請求項５】
前記アンカーボルト設置治具を基礎型枠の上に載置する際に、基礎を型枠上に嵌合でき固定ピンを有する固定具を介して行なうことを特徴とする請求項４記載の基礎の構築方法。
【請求項６】
前記アンカーボルト設置治具を基礎型枠の上に載置する際に、アンカーボルト設置治具の端部同士を重ねて載置することを特徴とする請求項４又は５に記載の基礎の構築方法。
【発明の詳細な説明】
【０００１】
【発明の属する技術分野】
本発明はアンカーボルト設置治具及び基礎の構築方法に関する。
【０００２】
【従来の技術】
従来、アンカーボルト設置治具として、実公平6-45000号公報に記載の如く、コンクリート基礎を構築するために並置された一対の型枠の上に載置固定され、アンカーボルトの挿着孔を備えたボルト挿着部と、コンクリート投入用窓状部と、型枠への固定具が取着される型枠取着部とを備えたものがある。この従来技術によれば、コンクリート基礎に埋設されるアンカーボルトを型枠間の所定の位置に設定した状態で、型枠内にコンクリートを打設できる。
【０００３】
そして、この従来技術では、例えば1m、2m等の長さの短尺治具を備えておき、これらの短尺治具を長手方向で一部重ね合せて接続することにより、例えば8m、10m等の長いコンクリート基礎にも適用できることとしている。
【０００４】
【発明が解決しようとする課題】
然しながら、従来技術のアンカーボルト設置治具を複数の建物ユニットが隣接して据付けられる基礎の構築のために適用しようとするときには、基礎の形態が建物ユニットの組合せによって余りに多様に変化し、単なる短尺治具の接続だけでは容易には対応できない。
【０００５】
また、基礎の基本的形態としては、建物ユニットの桁方向と妻方向の梁端に対応して桁方向基礎と妻方向基礎とが直角に交わる基礎コーナー部、建物ユニットの１辺が長尺であるときの長尺梁中間部に対応する長尺基礎中間部、相隣る建物ユニットの接続部で両建物ユニットの相連続する桁方向梁に対応する桁方向基礎と両建物ユニットの相接する妻方向梁に対応する広幅妻方向基礎とがＴ字状に交わる基礎ジョイント部の３種類がある。従来技術の単なる短尺治具では、上述の基礎の３種類の形態のうち、長尺基礎中間部には対応できても、基礎コーナー部、基礎ジョイント部には直ちには対応できず、その都度特殊治具を用意することが必要となる。
【０００６】
本発明の課題は、複数の建物ユニットが隣接して据付けられる基礎の構築にアンカーボルト設置治具を用いるに際し、最少の標準的治具によって多様な基礎の形態に対応可能とし、現場での治具の割付作業も単純化することにある。
【０００７】
【課題を解決するための手段】
請求項１に記載の本発明は、複数の建物ユニットが隣接して据付けられる基礎を構築するために並置された一対の型枠の上に載置固定され、アンカーボルトの挿着孔を備えたボルト挿着部と、コンクリート投入用窓状部と、型枠への固定具が取着される型枠取着部とを備えてなるアンカーボルトにおいて、建物ユニットのモジュールの整数倍で長手寸法を定めてなるようにしたことにある。
【０００８】
請求項２に記載の本発明は、請求項１に記載の本発明において更に、前記治具が、建物ユニットの梁端に対応する端治具と、建物ユニットの梁中間部に対応する中間治具と、建物ユニットと建物ユニットの接続部に対応するジョイント治具の３類からなるようにしたものである。
【０００９】
請求項３に記載の本発明は、請求項１又は２に記載の本発明において更に、前記治具が、長手方向で前記モジュールに相当する位置に目印を備えてなるようにしたものである。
【００１０】
請求項４に記載の本発明は、請求項１〜３のいずれかのアンカーボルト設置治具を基礎型枠の上に載置し、アンカーボルトをアンカーボルト設置治具に吊設した状態でコンクリート打設するようにした基礎の構築方法である。
【００１１】
請求項５に記載の本発明は、請求項４に記載の本発明において更に、前記アンカーボルト設置治具を基礎型枠の上に載置する際に、基礎を型枠上に嵌合でき固定ピンを有する固定具を介して行なうようにしたものである。
【００１２】
請求項６に記載の本発明は、請求項４又は５に記載の本発明において更に、前記アンカーボルト設置治具を基礎型枠の上に載置する際に、アンカーボルト設置治具の端部同士を重ねて載置するようにしたものである。
【００１３】
【作用】
請求項１の本発明によれば下記▲１▼の作用がある。
▲１▼ユニット建物では、これを構成する各建物ユニットの耐力壁直下に基礎（布基礎）を設けることとしている。従って、基礎の長さは基本的には建物ユニットのモジュール（基準寸法）の整数倍に定められるものとなり、本発明では、アンカーボルト設置治具の長手寸法を建物ユニットのモジュールの整数倍に設定したから、複数のそれら治具を単に接続することであらゆる長さの基礎にそのまま対応できるものとなる。
【００１４】
請求項２の本発明によれば下記▲２▼の作用がある。
▲２▼基礎の基本的形態として、建物ユニットの梁端に対応する基礎コーナー部、建物ユニットの梁中間部に対応する長尺基礎中間部、相隣る建物ユニットの接続部に対応する基礎ジョイント部の３種類がある。本発明では、基礎のこれら３種類の形態のそれぞれに対応する端治具、中間治具、ジョイント治具の３類のものを標準化した。従って、基礎の全体にいくつかのアンカーボルト設置治具を割付けるに際し、基礎の如何なる部分にも標準的な治具のいずれかを割付ければ足りることになる。
【００１５】
請求項３の本発明によれば下記▲３▼の作用がある。
▲３▼治具の長手方向に、前述▲１▼のモジュールに相当する目印を備えたので、現場での治具の割付けに際し、この目印を目安とすることができ、治具の割付作業性をより単純化できる。また、この目印を用いることにより、遣り方における水糸の設置を省施工化し、基礎完了後の建物ユニットの据付基準墨出しを行なうことができる。
【００１６】
請求項４の本発明によれば下記▲４▼の作用がある。
▲４▼複数の建物ユニットのためのコンクリート基礎に埋設されるアンカーボルトを型枠内の所定の位置に設定した状態で、型枠内にコンクリートを打設するに際し、上述▲１▼〜▲３▼により、最少の標準的治具によって多様な基礎の形態に対応可能とし、現場での治具の割付作業も単純化できる。
【００１７】
請求項５の本発明によれば下記▲５▼の作用がある。
▲５▼アンカーボルト設置治具を基礎型枠の上に載置する際に、基礎型枠上に嵌合でき固定ピンを有する固定具を介して行なうようにしたから、アンカーボルト設置治具を型枠の上に容易に着脱でき、型枠を変形せしめることがない。
【００１８】
請求項６の本発明によれば下記▲６▼の作用がある。
▲６▼アンカーボルト設置治具を基礎型枠の上に載置する際に、アンカーボルト設置治具の端部同士を重ねて載置するものとしたから、相接続される治具同士の配置の直線性、直角度を容易に確保できる。
【００１９】
【発明の実施の形態】
図１はユニット建物と構造ブロックの配置と基礎の配置とを示し、（Ａ）はユニット建物を示す斜視図、（Ｂ）は構造ブロックを示す平面図、（Ｃ）は基礎を示す平面図、図２はアンカーボルト設置治具を示し、（Ａ）は端治具を示す平面図、（Ｂ）は中間治具を示す平面図、（Ｃ）はジョイント治具を示す平面図、（Ｄ）は広幅治具を示す平面図、図３は基礎コーナー部での治具の割付を示し、（Ａ）は建物ユニットを示す平面図、（Ｂ）は治具を示す平面図、図４は長尺基礎中間部での治具の割付を示し、（Ａ）は建物ユニットを示す平面図、（Ｂ）は治具を示す平面図、図５は基礎ジョイント部での治具の割付を示し、（Ａ）は建物ユニットを示す平面図、（Ｂ）は治具を示す平面図、図６は端治具の使用状態を示す斜視図、図７は中間治具の使用状態を示す斜視図である。
【００２０】
ユニット建物１０は、図１（Ａ）に示す如く、複数の建物ユニット１１の接合体であり、１階、２階、屋根を含む妻方向に連続した一連のユニット群を構造ブロックと称し、この構造ブロックにより鉛直荷重と水平荷重を負担させ、構造ブロックを連続させて建物全体を構成する構造計画を採用している。
【００２１】
図１（Ａ）のユニット建物１０の構造ブロックを示せば図１（Ｂ）の通りであり、ユニット建物１０の基礎２０は、図１（Ｃ）に示す如く、構造ブロックを構成する各建物ユニット１１の耐力壁直下に布基礎を設けることにより構築される。そして、基礎２０にあっては、建物ユニット１１の桁方向と妻方向の梁端に対応して桁方向基礎と妻方向基礎とが直角に交わる基礎コーナー部２１、建物ユニット１１の１辺が長尺であるときの長尺梁中間部に対応する長尺基礎中間部２２、相隣る建物ユニット１１、１１の接続部で両建物ユニット１１、１１の相連続する桁方向梁に対応する桁方向基礎と両建物ユニット１１、１１の相接する妻方向梁に対応する広幅妻方向基礎（２０Ｂ）とがＴ字状に交わる基礎ジョイント部２３の３種類を基本的形態とし、これらの３種類の基礎コーナー部２１、長尺基礎中間部２２、基礎ジョイント部２３の組合せにより基礎２０の全体を構築することとしている。
【００２２】
尚、基礎２０にあっては、単一の建物ユニット１１の耐力壁直下に位置する部分を標準幅部分２０Ａとし、相隣る建物ユニット１１、１１の相接する２つの耐力壁直下に位置する部分を広幅部分２０Ｂとしている。
【００２３】
ここで、建物ユニット１１にあっては、桁方向長さのモジュールを910mmとし、妻方向長さのモジュールを455mmとし、それらの寸法を定めている。
【００２４】
然るに、本実施形態にあっては、例えば図６、図７に示す如く、前述の基礎２０を構築するために並置された一対の型枠３０、３０の上に載置固定され、基礎２０に埋設されるアンカーボルト３１を型枠３０、３０の間の所定位置に吊設して設定した状態で、型枠３０、３０の中にコンクリートを打設可能とする治具４０として、基本的に、図２（Ａ）〜（Ｃ）に示した端治具４１、中間治具５１、ジョイント治具６１を用いる。
【００２５】
また、治具４０としては、基礎２０の標準幅部分２０Ａに対応して用いられる標準幅治具の他に、基礎２０の広幅部分２０Ｂに対応して用いられる広幅治具がある。図２（Ａ）〜（Ｃ）は標準幅治具としての治具４１、５１、６１を示した。図２（Ｄ）には広幅治具としての端治具４１を示したが、広幅治具としての中間治具、ジョイント治具も用いることができる。
【００２６】
以下、端治具４１、中間治具５１、ジョイント治具６１のそれぞれについて説明する。
【００２７】
（端治具４１）（図３、図６）
端治具４１は、建物ユニット１１の桁方向と妻方向の梁端に対応する、基礎２０の前述した基礎コーナー部２１に対応して標準化され、他の端治具４１とともに図３、図６に示す如くに用いられる。
【００２８】
即ち、端治具４１は、アンカーボルト３１の挿着孔４２Ａを備えたボルト挿着部４２を適宜の複数位置に備えるとともに、コンクリート投入用窓状部４３も適宜の複数位置に備える。また、端治具４１は、型枠３０に嵌合して着脱される固定金具４４（固定具）の固定ピン４４Ａに取着される型枠取着孔４５（型枠取着部）を適宜の複数位置に備える。
【００２９】
このとき、端治具４１は、建物ユニット１１の前述したモジュールｍの整数倍で長手寸法を定められ、長手方向で該モジュールに相当する位置にＶ字カット状目印４６を備える。従って、桁端治具４１では上述のモジュールが910mm、妻端治具４１では上述のモジュールが455mmとなる。
【００３０】
また、端治具４１は、他の中間治具５１、ジョイント治具６１と異なる特徴点として、長手方向の一端部に直角位置出し用のＶ字カット状目印４７を備える。端治具４１は、図６に示す如く、他の端治具４１とともに基礎コーナー部２１に対応配置されるとき、桁端治具４１Ａと妻端治具４１Ｂをそれらの端部で一部重ね合され、桁端治具４１Ａの目印４７と妻端治具４１Ｂの目印４６、桁端治具４１Ａの目印４６と妻端治具４１Ｂの目印４７をそれぞれ合致せしめることにより、桁端治具４１Ａと妻端治具４１Ｂを直角に交差するように位置出し可能とされる。
【００３１】
従って、端治具４１は他の端治具４１とともに以下の如くに用いられ、基礎２０の基礎コーナー部２１を構築可能とする（図６）。
【００３２】
(1) 基礎２０のコーナー部２１のための型枠３０、３０に固定金具４４を嵌合して取着する。
【００３３】
(2) 桁端治具４１Ａを桁側の型枠３０に載せ、桁端治具４１Ａの型枠取着孔４５を固定金具４４の固定ピン４４Ａに取着する。続いて、妻端治具４１Ｂを一部桁端治具４１Ａに重ねて妻側の型枠３０に載せ、妻端治具４１Ｂの型枠取着孔４５を固定金具４４の固定ピン４４Ａに取着する。
【００３４】
(3) アンカーボルト３１のねじ部に高さ調整用ナット３１Ａを螺着し、このアンカーボルト３１を桁端治具４１Ａ、妻端治具４１Ｂの互いに重なり合っているボルト挿着部４２の挿着孔４２Ａに挿着し、その挿着端に固定ナット３１Ｂを装着する。
【００３５】
(4) 桁端治具４１Ａと妻端治具４１Ｂの一部重なり部で、桁端治具４１Ａの目印４７と妻端治具４１Ｂの目印４６、桁端治具４１Ａの目印４６と妻端治具４１Ｂの目印４７をそれぞれ合致せしめた上で、アンカーボルト３１の固定ナット３１Ｂを緊結し、桁端治具４１Ａと妻端治具４１Ｂを直角に交差配置する。
【００３６】
(5) 桁端治具４１Ａ、妻端治具４１Ｂのコンクリート投入用窓状部４３からコンクリートを投入し、基礎２０のコーナー部２１を打設する。その後、固定ナット３１Ｂを外し、治具４１Ａ、４１Ｂを型枠３０から取外し、固定金具４４を回収するとともに、型枠３０を脱型することにより、アンカーボルト３１を正確な位置に埋設した基礎２０のコーナー部２１が構築完了となる。
【００３７】
（中間治具５１）（図４、図７）
中間治具５１は、建物ユニット１１の長尺梁中間部に対応する、基礎２０の前述した基礎中間部２２に対応して標準化され、例えば端治具４１（又は他の中間治具５１）とともに図４、図７に示す如くに用いられる。
【００３８】
即ち、中間治具５１は、アンカーボルト３１の挿着孔５２Ａを備えたボルト挿着部５２を適宜の複数位置に備えるとともに、コンクリート投入用窓状部５３も適宜の複数位置に備える。また、中間治具５１は、型枠３０に嵌合して着脱される固定金具５４（固定具）の固定ピン５４Ａに取着される型枠取着孔５５（型枠取着部）を適宜の複数位置に備える。
【００３９】
このとき、中間治具５１は、建物ユニット１１の前述したモジュールｍの整数倍で長手寸法を定められ、長手方向で該モジュールに相当する位置にＶ字カット状目印５６を備える。従って、桁中間治具５１では上述のモジュールが910mm、妻中間治具５１では上述のモジュールが455mmとなる。
【００４０】
従って、中間治具５１は端治具４１（又は他の中間治具５１）とともに以下の如くに用いられ、基礎２０の中間部２２を構築可能とする（図７）。
【００４１】
(1) 基礎２０の中間部２２のための型枠３０、３０に固定金具５４を嵌合して取着する。
【００４２】
(2) 中間治具５１を型枠３０に載せ、中間治具５１の型枠取着孔５５を固定金具５４の固定ピン５４Ａに取着する。続いて端治具４１を一部中間治具５１に重ねて型枠３０に載せ、端治具４１の型枠取着孔４５を固定金具５４の固定ピン５４Ａに取着する。
【００４３】
(3) アンカーボルト３１のねじ部に高さ調整用ナット３１Ａを螺着し、このアンカーボルト３１を中間治具５１、端治具４１の互いに重なり合っているボルト挿着部５２、４２の挿着孔５２Ａ、４２Ａに挿着し、その挿着端に固定ナット３１Ｂを装着する。
【００４４】
(4) 中間治具５１と端治具４１の一部重なり部で、中間治具５１の目印５６と端治具４１の目印４６とを合致せしめ、それら中間治具５１、端治具４１の長手方向位置決めを行なった上で、アンカーボルト３１の固定ナット３１Ｂを緊結し、中間治具５１と端治具４１を一直線上に連続配置する。
【００４５】
(5) 中間治具５１、端治具４１のコンクリート投入用窓状部５３、４３からコンクリートを投入し、基礎２０の中間部２２を打設する。その後、固定ナット３１Ｂを外し、治具５１、４１を型枠３０から取外し、固定金具５４を回収するとともに、型枠３０を脱型することにより、アンカーボルト３１を正確な位置に埋設した基礎２０の中間部２２が構築完了となる。
【００４６】
（ジョイント治具６１）（図５）
ジョイント治具６１は、相隣る建物ユニット１１、１１の相接する部分に対応する、基礎２０の前述したジョイント部２３に対応して標準化され、広幅端治具４１とともに図５に示す如くに用いられる。
【００４７】
即ち、ジョイント治具６１は、アンカーボルト３１の挿着孔６２Ａを備えたボルト挿着部６２を適宜の複数位置に備えるとともに、コンクリート投入用窓状部６３も適宜の複数位置に備える。また、ジョイント治具６１は、型枠３０に嵌合して着脱される固定金具（固定具）（不図示）の固定ピン（不図示）に取着される型枠取着孔６５（型枠取着部）を適宜の複数位置に備える。
【００４８】
このとき、ジョイント治具６１は、建物ユニット１１の前述したモジュールｍの整数倍で長手寸法を定められ、長手方向で該モジュールに相当する位置にＶ字カット状目印６６を備える。従って、桁ジョイント治具６１では上述のモジュールが910mm、妻ジョイント治具６１では上述のモジュールが455mmとなる。
【００４９】
また、ジョイント治具６１は、他の端治具４１、中間治具５１と異なる特徴点として、長手方向の中間部で端治具４１が一部重ねられて接続される部分に、該ジョイント治具６１の長手方向の一方側に設けられた目印６６と他方側に設けられた目印６６の間隔をモジュールｍと異なるｐとしている。このｐは、相接する建物ユニット１１、１１の接合代相当分である。
【００５０】
従って、ジョイント治具６１は広幅端治具４１とともに以下の如くに用いられる。
【００５１】
(1) 基礎２０のジョイント部２３のための型枠３０、３０に固定金具を嵌合して取着する。
【００５２】
(2) ジョイント治具６１を桁側の型枠３０に載せ、ジョイント治具６１の型枠取着孔６５を固定金具の固定ピンに取着する。続いて、端治具４１を一部ジョイント治具６１に重ねて妻側の型枠３０に載せ、端治具４１の型枠取着孔４５を固定金具の固定ピンに取着する。
【００５３】
(3) アンカーボルト３１のねじ部に高さ調整用ナット３１Ａを螺着し、このアンカーボルト３１をジョイント治具６１、端治具４１の互いに重なり合っているボルト挿着部６２の挿着孔６２Ａに挿着し、その挿着端に固定ナット３１Ｂを装着する。
【００５４】
(4) ジョイント治具６１と端治具４１の一部重なり部で、ジョイント治具６１の２個の目印６６のそれぞれと端治具４１の一端部に備えた直角位置出し用の２個の目印４７のそれぞれとを合致せしめた上で、アンカーボルト３１の固定ナット３１Ｂを緊結し、ジョイント治具６１と端治具４１を直角に交差配置する。
【００５５】
(5) ジョイント治具６１、端治具４１のコンクリート投入用窓状部６３、４３からコンクリートを投入し、基礎２０のジョイント部２３を打設する。その後、固定ナット３１Ｂを外し、治具６１、４１を型枠３０から取外し、固定金具を回収するとともに、型枠３０を脱型することにより、アンカーボルト３１を正確な位置に埋設した基礎２０のジョイント部２３が構築完了となる。
【００５６】
従って、本実施形態によれば、以下の作用がある。
▲１▼ユニット建物１０では、これを構成する各建物ユニット１１の耐力壁直下に基礎２０を設けることとしている。従って、基礎２０の長さは基本的には建物ユニット１１のモジュール（基準寸法）の整数倍に定められるものとなり、本発明では、アンカーボルト設置治具４０（４１、５１、６１）の長手寸法を建物ユニット１１のモジュールの整数倍に設定したから、複数のそれら治具４０を単に接続することであらゆる長さの基礎２０にそのまま対応できるものとなる。
【００５７】
▲２▼基礎２０の基本的形態として、建物ユニット１１の梁端に対応する基礎コーナー部２１、建物ユニット１１の梁中間部に対応する長尺基礎中間部２２、相隣る建物ユニット１１の接続部に対応する基礎ジョイント部２３の３種類がある。本発明では、基礎２０のこれら３種類の形態のそれぞれに対応する端治具４１、中間治具５１、ジョイント治具６１の３類のものを標準化した。従って、基礎２０の全体にいくつかのアンカーボルト設置治具４０（４１、５１、６１）を割付けるに際し、基礎２０の如何なる部分にも標準的な治具４０（４１、５１、６１）のいずれかを割付ければ足りることになる。
【００５８】
▲３▼治具４０（４１、５１、６１）の長手方向に、前述▲１▼のモジュールに相当する目印４６、５６、６６を備えたので、現場での治具４０（４１、５１、６１）の割付けに際し、この目印４６、５６、６６を目安とすることができ、治具４０（４１、５１、６１）の割付作業性をより単純化できる。また、この目印４６、５６、６６を用いることにより、遣り方における水糸の設置を省施工化し、基礎完了後の建物ユニット１１の据付基準墨出しを行なうことができる。
【００５９】
▲４▼複数の建物ユニット１１のためのコンクリート基礎に埋設されるアンカーボルト３１を型枠３０内の所定の位置に設定した状態で、型枠３０内にコンクリートを打設するに際し、上述▲１▼〜▲３▼により、最少の標準的治具４０（４１、５１、６１）によって多様な基礎２０の形態に対応可能とし、現場での治具４０（４１、５１、６１）の割付作業も単純化できる。
【００６０】
▲５▼アンカーボルト設置治具４０（４１、５１、６１）を基礎型枠３０の上に載置する際に、基礎型枠３０上に嵌合でき固定ピン４４Ａ、５４Ａを有する固定金具４４、５４を介して行なうようにしたから、アンカーボルト設置治具４０（４１、５１、６１）を型枠３０の上に容易に着脱でき、型枠３０を変形せしめることがない。
【００６１】
▲６▼アンカーボルト設置治具４０（４１、５１、６１）を基礎型枠３０の上に載置する際に、アンカーボルト設置治具４０（４１、５１、６１）の端部同士を重ねて載置するものとしたから、相接続される治具４０（４１、５１、６１）同士の配置の直線性、直角度を容易に確保できる。
【００６２】
以上、本発明の実施の形態を図面により詳述したが、本発明の具体的な構成はこの実施の形態に限られるものではなく、本発明の要旨を逸脱しない範囲の設計の変更等があっても本発明に含まれる。
【００６３】
【発明の効果】
以上のように本発明によれば、複数の建物ユニットが隣接して据付けられる基礎の構築にアンカーボルト設置治具を用いるに際し、最少の標準的治具によって多様な基礎の形態に対応可能とし、現場での治具の割付作業も単純化することができる。
【図面の簡単な説明】
【図１】図１はユニット建物と構造ブロックの配置と基礎の配置とを示し、（Ａ）はユニット建物を示す斜視図、（Ｂ）は構造ブロックを示す平面図、（Ｃ）は基礎を示す平面図である。
【図２】図２はアンカーボルト設置治具を示し、（Ａ）は端治具を示す平面図、（Ｂ）は中間治具を示す平面図、（Ｃ）はジョイント治具を示す平面図、（Ｄ）は広幅治具を示す平面図である。
【図３】図３は基礎コーナー部での治具の割付を示し、（Ａ）は建物ユニットを示す平面図、（Ｂ）は治具を示す平面図である。
【図４】図４は長尺基礎中間部での治具の割付を示し、（Ａ）は建物ユニットを示す平面図、（Ｂ）は治具を示す平面図である。
【図５】図５は基礎ジョイント部での治具の割付を示し、（Ａ）は建物ユニットを示す平面図、（Ｂ）は治具を示す平面図である。
【図６】図６は端治具の使用状態を示す斜視図である。
【図７】図７は中間治具の使用状態を示す斜視図である。
【符号の説明】
１１  建物ユニット
２０  基礎
３０  型枠
３１  アンカーボルト
４０  治具
４１  端治具
５１  中間治具
６１  ジョイント治具
６２  ボルト挿着部
４２Ａ、５２Ａ、６２Ａ  挿着孔
４３、５３、６３  コンクリート投入用窓状部
４４、５４  固定金具（固定具）
４４Ａ、５４Ａ  固定ピン
４５、５５、６５  型枠取着孔（型枠取着部）
６６  目印
【図１】
0004052754.tif 000002
【図２】
0004052754.tif 000003
【図３】
0004052754.tif 000004
【図４】
0004052754.tif 000005
【図５】
0004052754.tif 000006
【図６】
0004052754.tif 000007
【図７】
0004052754.tif 000008